(57)【要約】【課題】ユーザが必要とする情報を探し出す手間を省くことが可能な情報掲示装置および情報掲示システムを提供する。【解決手段】情報掲示装置１１４では、記憶部１１６、表示部１００、センサ部１２４、コントローラ部１０７、を備えている。記憶部１１６は、ユーザＡ、B、C、Dのそれぞれに関連した情報を記憶する。表示部１００は、情報を表示する。センサ部１２４は、表示部１００の近傍で、ユーザＡ、B、C、Dのそれぞれを特定するＩＤ情報が含まれたI DカードＣ１〜Ｃ４を感知する。コントローラ部１０７は、センサ部１２４が感知したＩＤカードＣ１〜Ｃ４に含まれているＩＤ情報によって特定されるユーザに関連するメモＭ１〜Ｍ４を記憶部１１６から読み出して表示部１００に表示させる。【選択図】図１
2008304965.tif 000002
【特許請求の範囲】
【請求項１】
複数のユーザのそれぞれに関連した情報を記憶する記憶部と、
前記情報を表示する表示部と、
前記表示部の近傍で、複数のユーザのそれぞれを特定する識別情報を記録している記録媒体を感知するセンサ部と、
前記センサ部が感知した前記記録媒体の記録している識別情報によって特定されるユーザに関連する情報を前記記憶部から読み出して前記表示部に表示させる表示制御部と、
を備えている情報掲示装置。
【請求項２】
前記表示制御部は、前記センサ部が前記記録媒体を感知したときに、前記特定される前記ユーザに関連する情報の表示状態を変化させて前記表示部に表示させる、
請求項１に記載の情報掲示装置。
【請求項３】
前記表示制御部は、前記センサ部が前記記録媒体を感知していないときに、前記表示部に複数のユーザに関連する情報を表示させている、
請求項１または２に記載の情報掲示装置。
【請求項４】
前記表示制御部は、前記表示部に前記複数のユーザに関連する情報を表示させている場合には、前記センサ部が前記記録媒体を感知したときに、前記複数のユーザに関連する情報のうち、前記センサ部によって感知された前記ユーザに関連する情報だけを前記表示部に表示させる、
請求項１から３のいずれか１項に記載の情報掲示装置。
【請求項５】
前記表示部の正面側に、ユーザからの操作入力を受け付けるタッチパネルをさらに備えている、
請求項１から４のいずれか１項に記載の情報掲示装置。
【請求項６】
請求項１から５のいずれか１項に記載の情報掲示装置と、
前記情報掲示装置とネットワークを介して接続された印刷装置と、
前記印刷装置に前記特定されるユーザに関連する情報の印刷処理を実行させる制御部と、
を備えた情報掲示システム。
【発明の詳細な説明】
【技術分野】
【０００１】
この発明は、情報を掲示する情報掲示装置および情報掲示システムに関する。
【背景技術】
【０００２】
近年、従来の情報発信手段の代替として情報掲示装置の開発が進められており、例えば、公共の場所等の人の集まる場所に情報掲示装置を設置して広告等を掲示する手段として利用されつつある。
【０００３】
このような情報掲示装置の中には、情報掲示装置を貸し出して契約期間中はクライアントが情報掲示装置に表示する画像を自由に変更できるようにした情報掲示装置もある（特許文献１参照。）。
【特許文献１】特開２００４−２４０３２７号公報
【発明の開示】
【発明が解決しようとする課題】
【０００４】
しかし、このような情報掲示装置において、各ユーザに関連した情報を必要に応じてユーザが見つけ易いように表示するといった点については何ら検討されていなかった。そのため、ユーザは必要とする情報を探し出して確認するのに手間がかかり利便性が悪いという問題があった。
【０００５】
そこで、本発明に係る情報掲示装置および情報掲示システムでは、ユーザが必要とする情報を探し出す手間を省くことが可能な情報掲示装置および情報掲示システムを提供することを目的とする。
【課題を解決するための手段】
【０００６】
この発明の情報掲示装置は、記憶部と、表示部と、センサ部と、表示制御部と、を備えている。記憶部は、複数のユーザのそれぞれに関連した情報を記憶する。表示部は、情報を表示する。センサ部は、表示部の近傍で複数のユーザのそれぞれを特定する識別情報を記録している記録媒体を感知する。表示制御部は、センサ部が感知した記録媒体の記録している識別情報によって特定されるユーザに関連する情報を記憶部から読み出して表示部に表示させる。
【０００７】
この構成では、センサ部によって感知された記録媒体が記録している識別情報によりユーザを特定する。そして、特定されたユーザに関連する情報を表示部に表示する。これにより、特定されたユーザは関連する情報をスムーズに確認することができる。
【０００８】
この構成において、表示制御部は、センサ部が記録媒体を感知したときに、特定されるユーザに関連する情報の表示状態を変化させて表示部に表示させても良い。これにより、上記センサ部によって感知されたユーザに関連する情報を目立ちやすく表示することができる。
【０００９】
また、表示制御部は、センサ部が記録媒体を感知していないときに、表示部に複数のユーザに関連する情報を表示させても良い。これにより、複数のユーザに関連する情報を表示している場合にも、上記発明に係る情報掲示装置と同様の効果を得ることができる。
【００１０】
さらに、表示制御部は、表示部に複数のユーザに関連する情報を表示させている場合には、センサ部が記録媒体を感知したときに、複数のユーザに関連する情報のうち、センサ部によって感知されたユーザに関連する情報だけを表示部に表示させても良い。これにより、上記センサ部によって感知されたユーザに関連する情報を目立ちやすく表示することができる。
【００１１】
なお、この発明の情報掲示装置は、表示部の正面側に、ユーザからの操作入力を受け付けるタッチパネルをさらに備えていても良い。これにより、ユーザがタッチパネルを介して表示された情報を操作することができる。
【００１２】
この発明の情報掲示システムは、上記発明に係る情報掲示装置と、印刷装置と、制御部と、を備えている。印刷装置は、情報掲示装置とネットワークを介して接続されている。制御部は、印刷装置に特定されるユーザに関連する情報の印刷処理を実行させる。
【００１３】
この構成では、上記センサ部によって感知されたユーザに関連する情報を表示部に表示させるとともに、印刷装置によって印刷することができる。
【発明の効果】
【００１４】
この発明によれば、ユーザが必要とする情報を探し出す手間を省くことができる。
【発明を実施するための最良の形態】
【００１５】
この発明の一実施形態に係る情報掲示システム１について図面を参照しつつ詳細に説明する。
【００１６】
＜情報掲示システム１全体の構成＞
図１は、パソコン１０３に形成される機能ブロックを含む情報掲示システム１全体の構成を模式的に示す図である。
【００１７】
図２に示すように、情報掲示システム１は、情報掲示装置１１４、サーバ１３２、印刷装置１３１、を備えている。情報掲示装置１１４は、ネットワークI／F１３０やＬＡＮ等によって構築されるネットワークＮを介して印刷装置１３１、サーバ１３２と接続されている。
【００１８】
情報掲示装置１１４は、主として、表示部１００、タッチパネル１０１、パソコン１０３、センサ部１２４、を備えている。
【００１９】
表示部１００は、大型の液晶ディスプレイによって形成されており、各種のインフォメーションデータを表示する。表示部１００は、通信I／F１１５を介してパソコン１０３の通信I／F１１３と接続されている。また、表示部１００の正面側には、タッチパネル１０１が取り付けられており、ユーザは表示部１００に表示される、例えば、各種の操作画面や操作用ボタン等をタッチパネル１０１を介して操作することができる。タッチパネル１０１は通信I／F１０２を介しパソコン１０３の通信I／F１０４と接続されている。これにより、ユーザはタッチパネル１０１を押圧することによって、表示部１００に表示される各種のデータに対して入力操作等を行うことができる。
【００２０】
パソコン１０３は、ＬＡＮ等によって構築されたネットワークを介して表示部１００に接続されており、表示部１００に表示される各種データを制御する。パソコン１０３は、図１に示すように、機能ブロックとして、タッチパネル制御部１０５、コントローラ部１０７、記憶部１１６、センサ制御部１２７、を有している。各機能ブロックは、ＨＤＤ等の記憶デバイスに記録された制御プログラムがＣＰＵ等によって実行されることにより形成される。
【００２１】
タッチパネル制御部１０５は、タッチパネル１０１を介したユーザの入力を検出する。
【００２２】
記憶部１１６は、運用テーブル１１７、初期設定テーブル１１８、表示位置テーブル１１９、表示サイズテーブル１２０、表示属性テーブル１２１、等の情報が記憶されている。また、記憶部１１６は、後段にて詳述するＩＤカードＣに対応するＩＤ情報等のユーザを識別する情報も記憶されている。
【００２３】
コントローラ部１０７は、タッチパネル制御部１０５を介して入力されるユーザの入力、記憶部１１６に記憶されている各種テーブル、ユーザの作成したテキストデータ等の情報を基にして、表示部１００に表示される画像を制御する。
【００２４】
センサ制御部１２７は、通信I／F１２６、通信I／F１２５を介してセンサ部１２４と接続されており、センサ部１２４の検出動作を制御する。
【００２５】
ここで、コントローラ部１０７による表示部１００の表示制御について説明する。
【００２６】
センサ部１２４は、表示部１００の正面側の直上に配置されており、表示部１００の正面側の近傍に位置するＩＤカードＣを感知する。より具体的には、センサ部１２４は、ＩＤカードＣを所持したユーザが表示部１００へと近づくと、電波を照射してＩＤカードＣに含まれるＩＤ情報を検出する。そして、コントローラ部１０７は、検出されたＩＤ情報を運用テーブル１１７に記録する。さらに、コントローラ部１０７は、検出されたＩＤ情報について、サーバ１３２に問い合わせを行う。サーバ１３２は、上記検出されたＩＤ情報に関連したユーザの個人情報等をコントローラ部１０７へと返信する。なお、ユーザの個人情報等には、例えば、ユーザの顔写真や生年月日等の他、外部からユーザ宛にｅ−ｍａｉｌ等の受信があった場合には受信をユーザに報知するといった情報も含まれる。なお、本実施形態では、コントローラ部１０７からネットワークＮを介してサーバ１３２へ検出されたＩＤ情報に関連したユーザの個人情報等について問い合わせを行う例を挙げて説明した。しかし、本発明はこれに限定されるものではない。例えば、パソコン１０３の記憶部１１６にＩＤ情報に関連したユーザの個人情報等を記憶させるようにしても良い。この場合には、別途サーバ１３２を設ける必要がなくなるので製造コストをより低くすることができる。
【００２７】
コントローラ部１０７は、表示属性テーブル１２１を参照して上記検出されたＩＤ情報に対応する情報を読み出す。ここで、ＩＤ情報に対応する情報には、例えば、表示属性テーブル１２１に記録されている各ユーザが作成したテキストデータ(以下、メモＭと表記)や、メモＭのファイル名、作成者名、各種の表示属性情報等が収められている。
【００２８】
なお、本実施形態では、ユーザを識別する識別情報として、ユーザの所持しているＩＤカードＣを用いる例を挙げて説明した。しかし、本発明はこれに限定されるものではない。例えば、ＩＤカードＣの代わりにＩＤ発信装置を用いることも考えられる。また、ＩＤカードＣの代わりに、ユーザの声紋、歩き方、顔形等を識別情報として用いて特定のユーザを識別するといったことも考えられる。
【００２９】
さらに、コントローラ部１０７は、各テーブルに含まれる種々のデータを基にして画面データの生成を行う。そして、生成された画面データは、通信I／F１１３、通信I／F１１５を介して表示部１００に表示される。
【００３０】
また、コントローラ部１０７は、メモＭを表示部１００の中央部へ移動させるとともにネットワークI／F１３０を介して印刷装置１３１にプリント出力させる。これにより、ユーザは表示部１００に表示される表示画面上でメモＭを確認するとともに、メモＭのプリント出力を得ることができる。なお、本実施形態では、コントローラ部１０７が印刷装置１３１にプリント出力させる例を挙げて説明した。しかし、本発明はこれに限定されるものでない。例えば、印刷装置１３１、あるいは、サーバ１３２に制御部を設けて印刷装置１３１にプリント出力させるといったことも考えられる。
【００３１】
なお、コントローラ部１０７は表示部１００に表示されるメモＭもしくはメモＭ近傍にプリント出力の有無を選択するボタンをさらに表示させるようにしても良い。この場合には、ユーザがメモＭのプリント出力を行いたい場合には、上記選択するボタンの正面側に位置するタッチパネル１０１を押圧してプリント出力を行うことができるので利便性をさらに向上させることができる。
【００３２】
ここで、ユーザが情報掲示装置１１４へ接近した際に、表示部１００に表示される表示画面について図２〜図２６を用いて、より具体的に説明する。ここでは、図２に示すように、ユーザＡ、Ｂ、Ｃ、Ｄに関連したメモＭ１〜メモＭ４が表示部１００の左上部に表示されている。そして、ユーザＡが情報掲示装置１１４へと接近する際に表示部１００に表示される表示画面の変化について図３等を用いて説明する。
【００３３】
図２示すように、ユーザＡがまだ表示部１００へと接近していない状態では、表示部１００の左上部に８枚のメモＭ1〜メモＭ４がそれぞれ並んで表示されている。ここで、メモＭ１〜4は、ユーザＡ、Ｂ、Ｃ、Ｄがそれぞれ作成したテキストデータである。
【００３４】
なお、本実実施形態では、表示部１００に表示されるメモＭ１〜メモＭ４はテキストデータと各ユーザの氏名とを表示している。しかし、本発明はこれに限定されるものではない。例えば、ユーザＡ、Ｂ、Ｃ、Ｄを特定できるアイコン、写真、模様等によって形成された画像をメモＭ１〜メモＭ４として表示部１００に表示することも考えられる。この場合には、テキストデータがどのユーザによって作成されたものであるかを分かり易く表示させることができる。さらに、例えば、アイコンや写真等によって表示された上記メモＭ１〜メモＭ４をユーザＡ、Ｂ、Ｃ、Ｄがタッチパネル１０１を介して操作することによって、初めてメモＭ１〜メモＭ４に含まれるテキストデータが表示されるようにしても良い。この場合には、第三者にメモの内容を見られるおそれがない。また、特に問題がない場合には、例えば、表示部１００に表示されるメモＭ１〜メモＭ４は、その内容であるテキストデータをそのまま表示させるようにしても良い。
【００３５】
また、本実施形態では、メモＭ１〜メモＭ４はユーザによって作成されたテキストデータである場合を例に挙げて説明した。しかし、本発明はこれに限定されるものではない。例えば、メモＭ１〜メモＭ４は各ユーザによって作成されたものではなく、各ユーザに対する連絡事項が記載されたテキストデータであっても良い。
【００３６】
なお、本実施形態では、図２等に示すように、ユーザＡ、Ｂ、Ｃ、Ｄに関連したメモＭ１〜メモＭ４が表示部１００に表示されている例を挙げて説明している。しかし、本発明はこれに限定されるものではない。例えば、コントローラ部１０７は、情報掲示装置１１４へ特定のユーザが接近していない場合には、メモＭ等のユーザに関連した情報を何も表示させないようにしても良い。そして、特定のユーザが情報掲示装置１１４へ接近してくるのをセンサ部１２４によって検知してから上記特定のユーザに関連した情報を表示部１００に表示させるようにしても良い。この場合にも、ユーザは接近に伴って表示部１００の表示画面が変化するので、上記関連した情報を容易に見つけることができる。
【００３７】
ここで、センサ部１２４によるＩＤ情報の検出動作についてユーザＡが表示部１００へ接近した場合を例に挙げて以下に説明する。
【００３８】
ユーザＡ、Ｂ、Ｃ、Ｄは、それぞれＩＤカードＣ1〜Ｃ４を所持している。そして、図３に示すように、ユーザＡが情報掲示装置１１４へと近づくとユーザＡの所持しているＩＤカードＣ1の示すＩＤ情報をセンサ部１２４が検出する。そして、コントローラ部１０７は、ＩＤカードＣ１の示すＩＤ情報に対応するメモＭ１を８枚のメモの中から選択してメモＭ１を画面中央へと移動させる。これにより、表示部１００の中央部へとメモＭ１を移動させて目立たせることができる。このため、ユーザＡはメモＭ１を容易に見つけることができる。そして、図４に示すように、表示部１００の中央部にユーザＡと面するようにメモＭ１が表示される。この際、メモＭ２〜メモＭ４の表示位置は、表示部１００の左上部のままで変わらない。なお、図５に示すように、ユーザＡが作成したメモＭ１を表示部１００の中央部へ移動させるとともに、ユーザＢ、Ｃ、Ｄが作成したメモＭ２〜メモＭ４を画面左端上に一部が重なるように移動させて表示させるようにしても良い。
【００３９】
また、図６に示すように、ユーザＡが情報掲示装置１１４に近づいて行くと、ユーザＡが作成したメモを画面中央へ移動させるとともに、ユーザＢ、Ｃ、Ｄが作成したメモＭ２〜メモＭ４を画面上端へ均等に振り分けるように移動させても良い。あるいは、図７に示すように、画面四隅のうち、左上にユーザＢのメモＭ２、左下にユーザＣのメモＭ３、右上にユーザＤのメモＭ４をそれぞれ移動させるといったことも考えられる。図８に示すように、ユーザＡが情報掲示装置１１４に近づいて行くと、ユーザＡが作成したメモＭ１を表示部１００の中央部へと移動させるとともに、ユーザＢ、Ｃ、Ｄが作成したメモＭ２〜メモＭ４を表示部１００の画面四隅にそれぞれ振り分けて移動させるといった表示方法も考えられる。
【００４０】
なお、メモＭ２〜メモＭ４の振り分け方法としては、例えば、各メモの作成された日時を基準に右回りに表示部１００の画面４隅へと振り分けるといった方法も考えられる。図９に示すように、ユーザＡが情報掲示装置１１４に近づいて行くと、ユーザＡが作成したメモＭ１を表示部１００の中央部へと移動させるとともに、ユーザＢ、Ｃ、Ｄが作成したメモＭ２〜メモＭ４を表示部１００の左端部に上から下へ順に表示させるといったことも考えられる。また、図１０に示すように、メモＭ２〜メモＭ４を表示部１００の左上端部から右側へと順に表示させるといったことも考えられる。図１３に示すように、ユーザＡが表示部１００へ近づいて行くと、メモＭ１を画面中央部へと移動させ、メモＭ２〜メモＭ４は左上に移動させる。さらに、メモＭ１は表示部１００の中央部に互いに一部が重なる状態で上下方向に対して左斜めに表示されるようにしても良い。さらに、表示部１００に拡大・縮小ボタン１００Ｃを表示させてメモＭ１の表示倍率を変更することができるようにしても良い（図１９参照）。この場合には、表示部１００に表示されるメモＭ１の大きさを変更してユーザＡがメモＭ１を見易くすることはができる。また、表示倍率を変更する際に、ユーザがタッチパネルを押圧して選択した1枚のメモＭ１だけを拡大表示するようにしても良い（図２1参照）。
【００４１】
また、拡大・縮小ボタン１００Ｃの代わりに固定倍率ボタン１００Ｄを表示して拡大縮小倍率の変更をユーザが行うようにしても良い（図２２参照）。また、図１４に示すように、表示部１００の中央部へとメモＭ１を移動させた後、メモＭ１のうちの1枚を中心として残りのメモＭ１がその周りを回転するように表示させても良い。さらに、表示部１００の右下部分に拡大・縮小ボタン１００Ｃを表示させてメモＭ１の表示倍率を変更することができるようにしても良い（図２０参照）。図１５に示すように、メモＭ１を表示部１００の中央部へと移動させるとともに、全てのメモＭ１が表示部１００の中央部で回転するように表示させても良い。図１６に示すように、メモＭ１のうち１枚だけを拡大表示するようにしても良い。ここで、拡大表示するメモＭ１はコントローラ部１０７が自動的に選択するようにしても良いし、ユーザＡがタッチパネル１０１を介して選択したメモＭ１をコントローラ部１０７によって拡大表示させるようにしても良い。
【００４２】
また、図１１に示すように、例えば、表示部１００に表示・非表示切り替え可能領域１００Ｂを設けることも考えられる。この場合には、コントローラ部１０７は、ユーザＡが表示部１００へと近づいたときに、メモＭ１を表示部１００の中央部へと移動させるとともに、メモＭ２〜メモＭ４については表示部１００の周縁部分に設けられ表示・非表示切り替え可能領域１００Ｂへと移動させる。そして、表示部１００の右下部分に表示・非表示切り替えボタン１００Ａを表示する。これにより、ユーザが表示・非表示切り替えボタン１００Ａをタッチパネル１０１介して押圧することで、メモＭ２〜メモＭ４を表示させないようにすることができる。また、図１２に示すように、例えば、表示・非表示切り替え可能領域１００Ｂは表示部１００の左側に設けることも考えられる。さらに、表示部１００に表示・非表示切り替えボタン１００Ａを表示する代わりに、ユーザＡが表示部１００へ接近したときにメモＭ２、Ｍ３を表示・非表示切り替え可能領域１００Ｂへと自動的に移動させるようにしても良い。
【００４３】
なお、表示・非表示切り替え可能領域１００Ｂを表示部１００のどの場所に設けるかは上記実施形態に限定されるものではなく、情報掲示装置１１４の設置場所、使用状況等を考慮して適宜変更しても良い。
【００４４】
なお、図４等に示すように、ユーザＡが情報掲示装置１１４へと接近すると、コントローラ部１０７がメモＭ１を表示部１００の中央部へと移動させる。その後、図１７に示すように、ユーザＡが表示部１００上に画像等のデータが何も表示されていない位置のタッチパネル１０１を押圧すると、コントローラ部１０７はメモＭ１を押圧された位置まで表示部１００上を移動させといったこともかんがえられる。これにより、各ユーザはメモＭの内容をより確認し易くなる。
【００４５】
さらに、図１８に示すように、メモＭ１が表示された位置のタッチパネル１０１をユーザＡが押圧しつつ移動すると、コントローラ部１０７はメモＭ１をこれに追随して移動させるようにしても良い。この際、コントローラ部１０７は、メモＭ２〜メモＭ４については表示部１００上をメモＭ１の移動方向とは反対の方向へと移動させるようにしても良い。また、図１９に示すように、表示部１００の右下部分に拡大・縮小ボタン１００Ｃを表示させても良い。この場合には、表示部１００の中央部に表示されるメモＭ１を適宜拡大または縮小して表示することができる。なお、図２２に示すように、拡大・縮小ボタン１００Ｃの代わりに固定倍率を指定する固定倍率ボタン１００Ｄを表示させるようにしても良い。なお、ユーザＡがタッチパネル１０１を押圧して選択したメモＭ１だけが拡大表示されるようにしても良い。また、図２３に示すように、メモＭ１を全て選択して拡大表示できるようにするといったことも考えられる。
【００４６】
ユーザが情報掲示装置１１４へ接近した際に、表示部１００に表示される表示画面について説明する。ここでは、図２〜図４に示すようにユーザＡ、Ｂ、Ｃ、ＤのうちユーザＡが表示部１００へと接近する場合を例に挙げて、図２４〜図２６に示すフローチャートを用いて表示制御の処理の流れについて説明する。
【００４７】
最初に、図２４に示すフローチャートを用いて、ユーザＡが表示部１００へと接近した際のコントローラ部１０７における処理の流れについて説明する。
【００４８】
コントローラ部１０７は、記憶部１１６にある初期設定テーブルから各種の初期データを読み込む(ステップＳ２４０１)。
【００４９】
コントローラ部１０７は、記憶部１１６にあるユーザＡ、Ｂ、Ｃ、Ｄが作成したメモＭ１〜Ｍ４の読み出しを行う(ステップＳ２４０２)。
【００５０】
コントローラ部１０７は初期データ及びメモＭ１〜メモＭ４から初期画面用データを生成する(ステップＳ２４０３)。
【００５１】
コントローラ部１０７は、図２に示すように、生成した画面データを表示部１００へ送信し表示させる(ステップＳ２４０４)。
【００５２】
コントローラ部１０７は、センサ部１２４によって表示部１００へユーザが接近しているか否かを判断する。(ステップＳ２４０５)。
【００５３】
コントローラ部１０７は、記憶部１１６を参照してステップＳ２６０１において検出されたＩＤカードＣに対応するユーザＩＤ情報を取得する(ステップＳ２４０６)。例えば、図３に示すように、ユーザＡが表示部１００へと接近する際には、ユーザＡが所持するＩＤカードＣ１に対応するユーザＩＤを取得する。
【００５４】
コントローラ部１０７は取得したＩＤ情報をサーバ１３２へ問い合わせる(ステップＳ２４０７)。
【００５５】
コントローラ部１０７は、サーバ１３２からのユーザ情報をもとに表示部１００へと接近しているユーザに関連しているメモを選択する(ステップＳ２４０８)。
【００５６】
次に、図２５に示すフローチャートを用いて、ユーザＡが表示部１００へと接近した際の表示部１００に表示される表示画面の処理の流れについて説明する。
【００５７】
コントローラ部１０７は、上記ユーザに関連したメモ（以下、関連メモ）と上記ユーザに関連しないメモ（以下、関連しないメモ）を表示部１００のどの位置へ移動させるかを記憶部１１６に記憶されている各種テーブルを参照して決定する。より具体的には、記憶部１１６に記憶されている各種テーブルから移動先や移動スピード、移動後のメモＭ１〜メモＭ４の整列形態等)を記憶部にある各テーブルから取得する(ステップＳ２５０１)。
【００５８】
コントローラ部１０７は移動スピードに応じた位置を計算し新たな位置として設定する(ステップＳ２５０２)。
【００５９】
コントローラ部１０７はステップＳ２５０２で設定された位置情報をもとに画面データを生成する(ステップＳ２５０３)。
【００６０】
コントローラ部１０７は生成した画面データを情報掲示装置１１４へ送信し表示部１００に表示させる(ステップＳ２５０４)。ここで、表示部１００に表示される画面データとしては、例えば、図４に示す画面データ等が含まれる。
【００６１】
コントローラ部１０７は、各メモが移動先へ移動完了したか否かを確認する(ステップＳ２５０５)。
【００６２】
コントローラ部１０７は、関連メモが印刷済みか否かを確認する(ステップＳ２５０６)。
【００６３】
コントローラ部１０７は、関連メモの印刷データを作成する(ステップＳ２５０７)。
【００６４】
コントローラ部１０７は、印刷装置へ情報(印刷データ)を出力し印刷装置にプリント出力を行わせる(ステップＳ２５０８)。
【００６５】
最後に、図２６に示すフローチャートを用いて、コントローラ部１０７におけるタッチパネル１０１からユーザによる操作入力の有無の判定処理の流れについて説明する。
【００６６】
コントローラ部１０７は、タッチパネル制御部１０５を介してユーザの操作入力の有無を判定する(ステップＳ２６０１)。
【００６７】
コントローラ部１０７は、タッチパネル１０１の押された位置、すなわち操作入力の行われた位置の情報を取得する(ステップＳ２６０２)。
【００６８】
コントローラ部１０７は、情報掲示装置１１４の正面視において、上記操作入力の行なわれた位置と関連メモが表示部１００に表示されている位置とが一致するか否かを判定する。そして、上記位置が一致する場合には、操作入力の行われた位置の関連メモが選択されたものと判断し、ステップＳ２６０４へと進む(ステップＳ２６０３)。
【００６９】
コントローラ部１０７は、ステップＳ２６０３において選択された関連メモをユーザがタッチパネル１０１等を介して操作可能な状態、すなわち有効な状態に設定する。さらに、表示属性テーブル１２１等を参照して上記選択された関連メモについて各種の処理を行う(ステップＳ２６０４)。ここで各種の処理とは、例えば、上記選択された関連メモをユーザが参照した日時を記憶部１１６に記録させる。また、関連メモをユーザが参照したことを特定の他のユーザにe-mail等によって報知するといった処理が含まれる。
【００７０】
コントローラ部１０７は、情報掲示装置１１４の正面視において、上記操作入力の行われた位置と表示部１００に表示されるボタンの位置とが一致するか否かを判定する(ステップＳ２６０５)。ここで、表示部１００に表示されるボタンとは、例えば、図１１に示すように、表示・非表示切り替えボタン１００Ａ等のユーザがタッチパネル１０１を介して操作入力を行うためボタン等が含まれる。
【００７１】
コントローラ部１０７は、上記表示部１００に表示されるボタンに応じたデータ処理を行う(ステップＳ２６０６)。
【００７２】
コントローラ部１０７は、情報掲示装置１１４の正面視において、上記操作入力の行われた位置と一致する表示部１００上の位置には何も表示されていないかどうか判定する(ステップＳ２６０７)。
【００７３】
コントローラ部１０７は、情報掲示装置１１４の正面視において、上記操作入力の行われた位置と一致する表示部１００上の位置を関連メモの移動先の中心点に設定する。そして、表示部１００に表示されている関連メモを上記移動先の中心点へと移動させる(ステップＳ２６０８)。
【図面の簡単な説明】
【００７４】
【図１】情報掲示システム全体の構成とパソコンに形成される機能ブロックとを模式的に示す図である。
【図２】情報掲示システム全体の構成と各ユーザとを模式的に示した図である。
【図３】ユーザが情報掲示装置へと接近し始めた際の表示部に表示される表示画面の状態を模式的に示す図である。
【図４】ユーザが情報掲示装置へと接近した際に、表示部の中央部にユーザに関連したメモを表示させた状態を模式的に示す図である。
【図５】ユーザが情報掲示装置へと接近した際に、ユーザに関連したメモを表示部の中央部へ移動させるとともに、ユーザに関連しないメモを表示部の左上部に一部が重なり合うように整列して表示させた状態を模式的に示す図である。
【図６】ユーザが情報掲示装置へと接近した際に、ユーザに関連したメモを表示部の中央部へ移動させるとともに、ユーザに関連しないメモを表示部の上端に並べて表示させた状態を模式的に示す図である。
【図７】ユーザが情報掲示装置へと接近した際に、ユーザに関連したメモを表示部の中央部へ移動させるとともに、ユーザに関連しないメモを表示部の四隅に関連するユーザ毎に振り分けて表示させた状態を模式的に示す図である。
【図８】ユーザが情報掲示装置へと接近した際に、ユーザに関連したメモを表示部の中央部へ移動させるとともに、ユーザに関連しないメモを表示部の四隅に振り分けて表示させた状態を模式的に示す図である。
【図９】ユーザが情報掲示装置へと接近した際に、ユーザに関連したメモを表示部の中央部へ移動させるとともに、ユーザに関連しないメモをそれぞれ関連するユーザ毎に表示部の左上端部から下方へと順に表示させた状態を模式的に示す図である。
【図１０】ユーザが情報掲示装置へと接近した際に、ユーザに関連したメモを表示部の中央部へ移動させるとともに、接近したユーザに関連しないメモを関連するユーザ毎に表示部の左上端部から右側へと順に表示させた状態を模式的に示す図である。
【図１１】ユーザが情報掲示装置へと接近した際に、ユーザに関連したメモを表示部の中央部へ移動させるとともに、ユーザに関連しないメモを表示部の周縁に設けられた表示・非表示切り替え可能領域へ移動させた状態を模式的に示す図である。
【図１２】ユーザが情報掲示装置へと接近した際に、ユーザに関連したメモを表示部の中央部へ移動させるとともに、ユーザに関連しないメモを表示部の左側に設けられた表示・非表示切り替え可能領域へと移動させた状態を模式的に示す図である。
【図１３】ユーザが情報掲示装置へと接近した際に、ユーザに関連したメモを表示部の中央部へ移動させて上記メモの一部が重なり合い、各メモが上から下へと左斜めに傾斜した状態で表示させる。さらに、ユーザに関連しないメモを互いに一部が重なり合うように表示部の左上部に上下方向に並べて表示させた状態を模式的に示す図である。
【図１４】ユーザが情報掲示装置へと接近した際に、ユーザに関連した複数のメモを表示部の中央部へ移動させるとともに、その中で1枚のメモを中心に他のメモがその周りを回転するように表示させた状態を示す図である。
【図１５】ユーザが情報掲示装置へと接近した際に、ユーザに関連した複数のメモを表示部の中央部へ移動させて中央部で回転するように表示させた状態を示す図である。
【図１６】ユーザが情報掲示装置へと接近した際に、ユーザに関連した複数のメモを表示部の中央部へ移動させるとともに、そのうち1枚のメモを拡大して表示させた状態を模式的に示す図である。
【図１７】ユーザがタッチパネル１０１を押圧した際に、ユーザに関連したメモが押圧された位置まで移動する状態を模式的に示す図である。
【図１８】ユーザがタッチパネル１０１を押圧した際に、ユーザに関連するメモを押圧された位置まで移動させるとともに、ユーザに関連しないメモを反対方向へと移動させる状態を模式的に示す図である。
【図１９】ユーザが拡大・縮小ボタン１００Ｃを押圧してユーザに関連したメモを拡大表示させる状態を示す模式図である。
【図２０】ユーザが拡大・縮小ボタン１００Ｃを押圧したときに、ユーザに関連した複数のメモのうち1枚を表示部の中央部に拡大表示させるとともに、ユーザに関連する他のメモをその周囲を回転するように表示させた状態を示す模式図である。
【図２１】ユーザに関連したメモのうち、ユーザがタッチパネルを押圧して選択した1枚のメモだけを拡大表示した状態を示す図である。
【図２２】図２０に示す拡大・縮小ボタンの代わりに固定倍率ボタンを表示部の右側端に沿って表示させた状態を示す図である。
【図２３】ユーザが表示部の右側端に沿って表示された固定倍率ボタンを操作したときに、ユーザに関連したメモを全て拡大表示した状態を示す図である。
【図２４】ユーザが表示部へと接近した際に、コントローラ部における処理の流れを示すフローチャートである。
【図２５】ユーザが表示部へと接近した際に、コントローラ部における表示部に表示される表示画面の処理の流れを示すフローチャートである。
【図２６】コントローラ部におけるタッチパネルからのユーザによる操作入力の有無の判定処理の流れを示すフローチャートである。
【符号の説明】
【００７５】
１  情報掲示システム
１００  表示部
１０１  タッチパネル
１０３  パソコン
１０５  タッチパネル制御部
１０７  コントローラ部
１１４  情報掲示装置
１１６  記憶部
１１７  運用テーブル
１２４  センサ部
１２７  センサ制御部
１３１  印刷装置
１３２  サーバ
Ｃ  ＩＤカード
Ｍ  メモ
Ｎ  ネットワーク
Ｓ  ステップ
【図１】
2008304965.tif 000003
【図２】
2008304965.tif 000004
【図３】
2008304965.tif 000005
【図４】
2008304965.tif 000006
【図５】
2008304965.tif 000007
【図６】
2008304965.tif 000008
【図７】
2008304965.tif 000009
【図８】
2008304965.tif 000010
【図９】
2008304965.tif 000011
【図１０】
2008304965.tif 000012
【図１１】
2008304965.tif 000013
【図１２】
2008304965.tif 000014
【図１３】
2008304965.tif 000015
【図１４】
2008304965.tif 000016
【図１５】
2008304965.tif 000017
【図１６】
2008304965.tif 000018
【図１７】
2008304965.tif 000019
【図１８】
2008304965.tif 000020
【図１９】
2008304965.tif 000021
【図２０】
2008304965.tif 000022
【図２１】
2008304965.tif 000023
【図２２】
2008304965.tif 000024
【図２３】
2008304965.tif 000025
【図２４】
2008304965.tif 000026
【図２５】
2008304965.tif 000027
【図２６】
2008304965.tif 000028